(57)【要約】【課題】  歯茎に傷を付けることを防止できると共に、生産性が高く、コストアップにならない爪楊枝を提供する。【解決手段】  爪楊枝本体１は、把持部２と、先端部３とを有する。爪楊枝本体１の先端部３を鋭角に尖らせ、先端部３を水に浸し、ハンマー５で叩く。これにより、爪楊枝本体１の先端部３の木材又は竹材の繊維質１３ａはブラシ状にほぐされる。爪楊枝本体１の先端が柔らかくなっているので、歯茎を痛めることがなくなる。また、爪楊枝本体１の先端部３がブラシ状になっているため、歯の間に詰まった食物や垢を効率良く取り除くことができる。【選択図】        図１
0003115189.tif 000002
【実用新案登録請求の範囲】
【請求項１】
軸方向に繊維質が走る木材又は竹材により形成された把持部と、
前記把持部の一方の端を尖らせて形成された第１の先端部とを有し、
前記第１の先端部の繊維質をブラシ状にほぐすようにしたことを特徴とする爪楊枝。
【請求項２】
前記把持部の他方の端に溝を設けるようにしたことを特徴とする請求項１に記載爪楊枝。
【請求項３】
前記把持部の他方の端を尖らせて第２の先端部を形成するようにしたことを特徴とする請求項１に記載の爪楊枝。
【請求項４】
前記第２の先端部の繊維質をブラシ状にほぐすようにしたことを特徴とする請求項３に記載の爪楊枝。
【請求項５】
前記第１の先端部の繊維質のほぐし量と、前記第２の先端部の繊維質のほぐし量とを異なるようにしたことを特徴とする請求項４に記載の爪楊枝。
【考案の詳細な説明】
【技術分野】
【０００１】
本考案は、爪楊枝に関するもので、特に、歯茎を傷つけることが無いようにした爪楊枝に関する。
【背景技術】
【０００２】
従来の爪楊枝は、白樺等の木材又は竹材を円柱状に形成し、その先端部を尖らせるようにしている。そして、使用時には、その先端部を歯の間に挿入し、歯の間に詰まった物を取り除くようにしている。ところが、爪楊枝の先端部を尖らせると、尖った先端部により歯茎に傷を付けてしまうおそれがある。
【０００３】
そこで、特許文献１には、比較的小径の合成樹脂製棒材に依り形成された把持部の一端に多数の剛毛を植説するようにした爪楊枝が提案されている。また、特許文献２には、把持部分である本体の先端部に一本の直径が小なる毛を以て適宜本数を一束としたブラシ部を付設するようにした爪楊枝が提案されている。
【特許文献１】実開昭５２−１５７９７３号公報
【特許文献２】実開昭６３−７１０１８号公報
【考案の開示】
【考案が解決しようとする課題】
【０００４】
特許文献１及び特許文献２に示されるような爪楊枝では、先端部がブラシになっているため、歯茎を痛めることが防止できる。しかしながら、爪楊枝の先にブラシを取り付けると、製造コストが上昇する。また、特許文献１及び特許文献２に示されるものでは、爪楊枝の先端にブラシを取り付ける作業必要であり、製造が大変である。
【０００５】
爪楊枝は、殆どの場合使い捨てである。使い捨てにされる爪楊枝では、コストが安いこと、生産性が高いことが要求される。また、使い捨ての爪楊枝にブラシ等を取り付けるのは、資源の無駄である。
【０００６】
本考案は、上述の課題を鑑み、歯茎に傷を付けることを防止できると共に、生産性が高く、コストアップにならない爪楊枝を提供することを目的とする。
【課題を解決するための手段】
【０００７】
本考案の爪楊枝は、軸方向に繊維質が走る木材又は竹材により形成された把持部と、把持部の一方の端を尖らせて形成された第１先端部とを有し、第１の先端部の繊維質をブラシ状にほぐすようにしたことを特徴とする。
【０００８】
好ましくは、把持部の他方の端に溝を設けるようにしたことを特徴とする。
【０００９】
好ましくは、把持部の他方の端を尖らせて第２の先端部を形成するようにしたことを特徴とする。
【００１０】
好ましくは、第２の先端部の繊維質をブラシ状にほぐすようにしたことを特徴とする。
【００１１】
好ましくは、第１の先端部の繊維質のほぐし量と、第２の先端部の繊維質のほぐし量とを異なるようにしたことを特徴とする。
【考案の効果】
【００１２】
本考案によれば、軸方向に繊維質が走る木材又は竹材により形成された把持部と、把持部の一方の端を尖らせて形成された第１先端部とを有し、第１の先端部の繊維質をブラシ状にほぐすようにしている。このため、先端部が柔らかくなり、歯茎を傷つけることない。また、先端部がブラシ状になるため、歯の間に挟まった物を効率的に取り除くことができる。
【００１３】
また、本考案によれば、把持部の他方の端に溝を設けるようにしている。このため、爪楊枝本体を溝の部分から折って、爪楊枝置きとして使用できる。また、爪楊枝本体をこけしに見立てて、デザインを施すことができる。
【００１４】
また、本考案によれば、把持部の他方の端を尖らせて第２の先端部を形成するようにしている。把持部の一方の端の第１の先端部の繊維質をブラシ状にほぐし、第２の先端部を尖らせておくことで、使用者の好みや、使用状況により、先端部を使い分けることができる。
【００１５】
また、本考案によれば、第２の先端部の繊維質もブラシ状にほぐすようにしている。把持部の第１の先端部及び第２の先端部の両方をブラシ状にほぐすことで、両方の先端部を使うことができる。
【００１６】
また、本考案によれば、第１の先端部の繊維質のほぐし量と、第２の先端部の繊維質のほぐし量とを異なるようにすることで、使用者の好みや、使用状況により、先端部を使い分けることができる。
【考案を実施するための最良の形態】
【００１７】
第１実施形態．
以下、本考案の実施形態について図面を参照しながら説明する。図１（Ａ）及び図１（Ｂ）は、本考案の第１実施形態を示すものである。
【００１８】
図１（Ａ）において、１は爪楊枝本体である。爪楊枝本体１は、白樺等の木材又は竹材を円柱状に形成したもので、把持部２と、先端部３とを有している。先端部３は、図１（Ｂ）に拡大して示すように、鋭角に尖らされている。また、先端部３の木材又は竹材の繊維質１３ａはブラシ状にほぐされている。これにより、歯茎を痛めることなくないと共に、歯の間に詰まった物を効率良く取り除くことができる。
【００１９】
つまり、爪楊枝本体１を使用する場合には、使用者は、把持部２を持って、先端部３で、歯の間に詰まったものを取り除く。このとき、先端部３が尖っていると、先端部３が歯茎に刺さり、歯茎を痛めやすい。
【００２０】
本考案の第１実施形態では、図１（Ｂ）に示すように、先端部３の木材又は竹材の繊維質１３ａがブラシ状にほぐされており、柔らかくなっているので、歯茎を痛めることがなくなる。また、先端部３がブラシ状になっているため、歯の間に詰まった食物や垢を効率良く取り除くことができる。
【００２１】
次に、本考案の実施形態の爪楊枝本体１の製造工程の概要について説明する。なお、原木から丸軸を作るまでの工程については、従来と同様であるので、その説明を省略する。
【００２２】
図２（Ａ）に示すように、丸軸１０を所定の長さに切断し、図２（Ｂ）に示すように、丸軸１０の先端１１を鋭角に尖らせる。このとき、丸軸１０の木材又は竹材の繊維質１３の方向は、矢印Ａに示すように、軸方向に走っている。これにより、丸軸１０の軸の部分に把持部２が形成され、丸軸１０の先端部分に先端部３が形成される。
【００２３】
次に、図２（Ｃ）に示すように、爪楊枝本体１の先端部３を水４に浸す。爪楊枝本体１の先端部３を水４に浸すと、爪楊枝本体１の先端部３が水を含み、柔らかくなる。ここで、図２（Ｄ）に示すように、爪楊枝本体１の先端部３をハンマー５で叩く。爪楊枝本体１の木材又は竹材の繊維質１３は、前述したように、軸方向になっている。このため、爪楊枝本体１の先端部３をハンマー５で叩くと、図１（Ｂ）に示したように、爪楊枝本体１の先端部３の繊維質１３ａがほぐれ、ブラシ状になる。
【００２４】
なお、ここでは、爪楊枝本体１の材料として白樺を使ったが、爪楊枝本体１としては、これに限定されるものではない。爪楊枝本体１の材料としては、黒文字や肝木を用いるようにしても良い。
【００２５】
第２実施形態．
図３は、本考案の第２実施形態を示すものである。この実施形態では、爪楊枝本体１の他方の端に、溝１５ａ、１５ｂを設けるようにしている。このような溝１５ａ、１５ｂを設けると、爪楊枝本体１を溝１５ａ、１５ｂの部分から折って、爪楊枝置きとして使用できる。また、爪楊枝本体１をこけし見立てて、デザインを施すことができる。他の構成は、前述の第１実施形態と同様であり、その説明を省略する。
【００２６】
第３実施形態．
図４は、本考案の第３実施形態を示すものである。この実施形態では、爪楊枝本体１の一方の端に第１の先端部３ａを設け、他方の端に第２の先端部３ｂを設けるようにしている。第１の先端部３ａは鋭角に尖らされており、また、先端部３ａの木材又は竹材の繊維質１３ａはブラシ状にほぐされている。これに対して、第２の先端部３ｂは鋭角に尖らされているが、先端部３ｂの木材又は竹材の繊維質はほぐされていない。他の構成は、前述の第１実施形態と同様であり、その説明を省略する。
【００２７】
このように、この実施形態では、その両端に尖った先端部３ａ及び３ｂが設けられ、第１の先端部３ａの繊維質１３ａはほぐされ、第２の先端部３ｂの繊維質はほぐされていない。このため、使用者の好みや、使用状況により、先端部３ａ、１３ｂを使い分けることができる。
【００２８】
すなわち、例えば、歯茎が弱い使用者は、第１の先端部３ａを選び、歯茎が丈夫な使用者は先端部３ｂを選ぶことが考えられる。また、例えば、最初に先端が鋭敏な第２の先端部３ｂを選んで大きな物を取り除いてから、ブラシ状に繊維質がほぐされた第１の先端部３ａを選んで、歯の垢等を磨くことが考えられる。
【００２９】
第４実施形態．
図５は、本考案の第４実施形態を示すものである。この実施形態では、爪楊枝本体１の一方の端に第１の先端部３ａを設け、他方の端に第２の先端部３ｂを設けるようにしている。第１の先端部３ａ及び第２の先端部３ｂは共に鋭角に尖らされており、また、第１の先端部３ａ及び第２の先端部３ｂの木材又は竹材の繊維質１３ａ及び１３ｂは共にブラシ状にほぐされている。他の構成は、前述の第１実施形態と同様であり、その説明を省略する。
【００３０】
このように、この実施形態では、その両端に尖った先端部３ａ及び３ｂが設けられ、第１の先端部３ａの繊維質１３ａ及び第２の先端部３ｂの繊維質１３ｂは、共にブラシ状にほぐされている。このため、使用状況により、先端部３ａ、３ｂを使い分けることができる。
【００３１】
すなわち、例えば、最初に第１の先端部３ａを選んで、歯の間のものを取り除き、使用を重ねていき、先端部３ａでは歯の間のものが十分に除去できなくなったら、第２の先端部３ｂを選んで、歯の間のものを取り除くことが考えられる。
【００３２】
第５実施形態．
図６は、本考案の第５実施形態を示すものである。この実施形態では、前述の第４実施形態において、第１の先端部３ａの繊維質１３ａのほぐし量と、第２の先端部３ｂの繊維質１３ｂのほぐし量とを異なるようにしている。すなわち、第１の先端部３ａの繊維質１３ａは十分にほぐし、第２の先端部３ｂの繊維質１３ｂは少しだけほぐすようにしている。このようにすると、使用者の好みや使用状況により、繊維質のほぐし方の異なる第１及び第２の先端部３ａ及び３ｂを使い分けることができる。他の構成は、前述の第４実施形態と同様であり、その説明を省略する。
【００３３】
本考案は、上述した実施形態に限定されるものではなく、この考案の要旨を逸脱しない範囲内で様々な変形や応用が可能である。
【産業上の利用可能性】
【００３４】
本考案は、歯の間に詰まった食べ物や垢を取り除くための爪楊枝として利用可能である。
【図面の簡単な説明】
【００３５】
【図１】本考案の第１実施形態の側面図及びその先端部の拡大図である。
【図２】本考案の第１実施形態の製造工程の説明図である。
【図３】本考案の第２実施形態の側面図である。
【図４】本考案の第３実施形態の側面図である。
【図５】本考案の第４実施形態の爪楊枝の側面図である。
【図６】本考案の第５実施形態の爪楊枝の側面図である。
【符号の説明】
【００３６】
１  爪楊枝本体
２  把持部
３、３ａ、３ｂ  先端部
４  水
５  ハンマー
１０  丸軸
１３、１３ａ、１３ｂ  繊維質
１５ａ、１５ｂ  溝
【図１】
0003115189.tif 000003
【図２】
0003115189.tif 000004
【図３】
0003115189.tif 000005
【図４】
0003115189.tif 000006
【図５】
0003115189.tif 000007
【図６】
0003115189.tif 000008